(57)【要約】【課題】弾球遊技機用遊技盤を容易に製造し得る方法を提供する。【解決手段】樹脂製の樹脂基板２と、樹脂基板２に立設される誘導突起４を備え、弾球が樹脂基板２の表側において誘導突起４に衝突しながら流下する弾球遊技機用遊技盤の製造方法であって、誘導突起４の一部をホルダー５によって覆うホルダー工程と、ホルダー５を誘導突起４とともに成形型にセットするセット工程と、成形型に樹脂を流し込み、樹脂基板２を成形すると同時に、ホルダー５によって覆われていない誘導突起４の一部を樹脂基板２に埋め込むインサート成形工程と、樹脂基板２の成形後にホルダー５を誘導突起４から取除く取除き工程とを有する。【選択図】図３
2010082313.tif 000002
【特許請求の範囲】
【請求項１】
樹脂製の樹脂基板と、その樹脂基板に立設される誘導突起を備え、弾球が前記樹脂基板の表側において前記誘導突起に衝突しながら流下する弾球遊技機用遊技盤の製造方法であって、
前記誘導突起の一部をホルダーによって覆うホルダー工程と、
前記ホルダーを前記誘導突起とともに成形型にセットするセット工程と、
前記成形型に樹脂を流し込み、前記樹脂基板を成形すると同時に、前記ホルダーによって覆われていない前記誘導突起の一部を前記樹脂基板に埋め込むインサート成形工程と、
前記樹脂基板の成形後に前記ホルダーを前記誘導突起から取除く取除き工程とを有することを特徴とする弾球遊技機用遊技盤の製造方法。
【請求項２】
請求項１に記載の弾球遊技機用遊技盤の製造方法であって、
ホルダー工程において、ホルダーのホルダー本体に誘導突起を所定の角度でセットし、
セット工程において、前記ホルダー本体を成形型の樹脂基板用キャビティに対して略垂直にセットすることを特徴とする弾球遊技機用遊技盤の製造方法。
【請求項３】
請求項１または２に記載の弾球遊技機用遊技盤の製造方法であって、
誘導突起が棒状の脚部と、該脚部の端部にて該脚部より径が大きい頭部とを有し、
ホルダー工程において、前記頭部をホルダーの端面に当接させ、かつ前記脚部を前記ホルダーに貫通させることを特徴とする弾球遊技機用遊技盤の製造方法。
【請求項４】
弾球遊技機用遊技盤であって、
弾球が流下する遊技領域において、請求項１〜３のいずれか一つに記載の弾球遊技機用遊技盤の製造方法によって製造された樹脂基板と、木質の木質基板とを有することを特徴とする弾球遊技機用遊技盤。
【発明の詳細な説明】
【技術分野】
【０００１】
本発明は、パチンコ遊技機などの弾球遊技機の遊技盤に関する。とりわけ樹脂製の樹脂基板と、その樹脂基板に立設される誘導突起を備え、弾球が樹脂基板の表側において誘導突起に衝突しながら流下する弾球遊技機用遊技盤に関する。
【背景技術】
【０００２】
従来、様々な遊技盤が知られており、例えば、樹脂製の樹脂基板を有している（特許文献１参照）。樹脂基板は、透明性を有しており、樹脂基板の裏側に配設された液晶表示器の表示画面や電飾装置の光が遊技者によって視認され得る構成になっている。この樹脂基板には、遊技釘（誘導突起）が立設され、弾球が樹脂基板の表側において遊技釘に衝突しながら流下する。遊技釘を樹脂基板に設ける方法は、例えば、樹脂基板にドリル等によって下穴を形成する。次に、遊技釘の脚部にローレット加工を施し、遊技釘を下穴に打ち込む。これにより遊技釘は、ローレット加工部分によって樹脂基板から抜止される。
【特許文献１】特開２００７−１０５３０７号公報
【発明の開示】
【発明が解決しようとする課題】
【０００３】
しかし従来の製造方法は、下穴を設ける必要等があるために煩雑であり、製造コストが高くなるという問題がある。そこで本発明は、弾球遊技機用遊技盤を容易に製造し得る方法を提供することを課題とする。
【課題を解決するための手段】
【０００４】
前記課題を解決するために本発明は、各請求項に記載の通りの構成を備える弾球遊技機用遊技盤の製造方法もしくは弾球遊技機用遊技盤であることを特徴とする。請求項１に記載の製造方法は、誘導突起の一部をホルダーによって覆うホルダー工程と、ホルダーを誘導突起とともに成形型にセットするセット工程と、成形型に樹脂を流し込み、樹脂基板を成形すると同時に、ホルダーによって覆われていない誘導突起の一部を樹脂基板に埋め込むインサート成形工程と、樹脂基板の成形後にホルダーを誘導突起から取除く取除き工程とを有している。
【０００５】
したがってインサート成形工程によって、誘導突起の一部が樹脂基板に埋め込まれ、誘導突起が樹脂基板に取付けられ得る。そのため樹脂基板に下穴を設ける工程や、誘導突起を樹脂基板に打ち込む工程等が不要になる。また誘導突起は、樹脂基板に埋め込まれるため、樹脂基板に対して容易かつ確実に抜止され得る。そのため誘導突起と樹脂基板の間にローレット加工等の抜止構造を設ける必要がない。また成形時にホルダーを使用するため、誘導突起の所望の部分のみを樹脂基板に埋め込み得る。またホルダーを使用するために、誘導突起は、頭部等を有する複雑な形状であっても、容易に埋め込まれ得る。その結果、遊技盤が容易に製造され得る。
【０００６】
請求項２に記載の発明によると、ホルダー工程において、ホルダーのホルダー本体に誘導突起を所定の角度でセットする。そしてセット工程において、ホルダー本体を成形型の樹脂基板用キャビティに対して略垂直にセットする。したがって誘導突起は、樹脂基板に所定の角度で設けられ得る。またホルダー本体を樹脂基板用キャビティに対して略垂直にセットするため、誘導突起の傾きに影響されることなく、垂直に脱型できる。これにより容易に誘導突起を樹脂基板に対して所定の角度にし、かつ容易に脱型できる。また誘導突起の傾きに関係なく、樹脂基板に他の部品を容易に一体成形することもできる。
【０００７】
請求項３に記載の発明によると、誘導突起が棒状の脚部と、該脚部の端部にて該脚部より径が大きい頭部とを有している。そしてホルダー工程において、頭部をホルダーの端面に当接させ、かつ脚部をホルダーに貫通させる。したがって頭部をホルダーの端面に当接させることで、誘導突起をホルダーに容易に高さ合わせできる。またホルダーは、頭部が端面に当接され、脚部が貫通されるために、頭部を覆う形態に比べて簡易な構造になる。
【０００８】
請求項４に記載の発明によると、弾球が流下する遊技領域において、上記記載の弾球遊技機用遊技盤の製造方法によって製造された樹脂基板と、木質の木質基板を有している。したがって遊技盤は、遊技領域が樹脂基板のみから形成される場合に比べて安価に形成され得る。また遊技盤は、遊技領域が木質基板のみから形成される場合に比べて電飾効果および演出効果が高くなる。
【発明を実施するための最良の形態】
【０００９】
（実施の形態１）
実施の形態１を図１〜５にしたがって説明する。図１に示すように遊技盤１は、パチンコ遊技機などの弾球遊技機の遊技盤であって、樹脂基板２と木質基板３を有している。遊技盤１には、図示省略の円弧状の外側ガイドレールが設けられ、外側ガイドレールによって遊技領域１ａが区画される。遊技領域１ａには、樹脂基板２と木質基板３の一部３ｂが配設される。弾球は、発射装置から発射され、外側ガイドレールと樹脂基板２に形成された内側ガイドレール２ｂによって遊技領域１ａに誘導される。そして遊技領域１ａにおいて樹脂基板２と木質基板３の一部３ｂの表側を流下する。
【００１０】
木質基板３は、ベニヤ板製、ラワン合板等の木質材から形成される。木質基板３は、中央領域に大きな開口部３ａを有している。開口部３ａには、樹脂基板２と、図示省略の図柄表示装置等が設けられる。遊技領域１ａに位置する木質基板３の一部３ｂには、図示省略の遊技釘が打ち込まれる。したがって弾球は、木質基板３の表側において遊技釘に衝突しながら流下する。
【００１１】
樹脂基板２は、ポリカーボネート、アクリル樹脂等の熱硬化性の樹脂によって、図１に示すように三日月板状に形成される。樹脂基板２は、透明性を有しており、樹脂基板２の裏面に配された電飾装置や表示装置の光が遊技者によって視認され得る構成になっている。樹脂基板２の一端縁には、内側ガイドレール２ｂが立設される。内側ガイドレール２ｂは、樹脂基板２に一体成形され、樹脂基板２と同じ材料で形成される。
【００１２】
樹脂基板２には、図１に示すように複数の誘導突起４が立設される。したがって弾球が樹脂基板２の表側において誘導突起４に衝突しながら流下する。誘導突起４は、金属製もしくは樹脂製等であって、樹脂基板２にインサート成形され、一端部が樹脂基板２に固着される。誘導突起（釘）４は、図２に示すように脚部４ａと頭部４ｂを一体に有している。頭部４ｂは、脚部４ａの端部に設けられ、脚部４ａよりも径が大きい。誘導突起４は、樹脂基板２の垂直線に対して５°の傾斜角度を有し、頭部４ｂ側が脚部４ａ側よりも上に位置している。
【００１３】
誘導突起４を樹脂基板２にインサート成形する場合は、図２に示すように先ず、誘導突起４の一部をホルダー５によって覆う（ホルダー工程）。ホルダー５は、樹脂基板２の樹脂材料よりも融点の高い樹脂もしくは金属から形成される。ホルダー５は、分割可能な一対の分割体５ａ１，５ａ２から構成されるホルダー本体５ａを有している。一対の分割体５ａ１，５ａ２は、溝５ｃ、５ｄと嵌合部５ｅ，５ｆを有している。溝５ｃ，５ｄは、図４に示すようにホルダー本体５ａの軸線５ａ３に対して例えば５±２°の所定の角度を有している。これら溝５ｃ、５ｄの間には、誘導突起４の脚部４ａが設置される。
【００１４】
嵌合部５ｅは、図２に示すように分割体５ａ１の取付面に有底円孔状に形成される。嵌合部５ｆは、他の分割体５ａ２の取付面に円柱状に形成される。嵌合部５ｅ，５ｆは、相互に離脱可能に嵌合され、これにより分割体５ａ１，５ａ２が分割可能に組付けられる。図２，４に示すように分割体５ａ１，５ａ２の間には、誘導突起４が設置され、誘導突起４の頭部４ｂがホルダー５の一端面５ｂに当接される。ホルダー本体５ａには、誘導突起４の脚部４ａが貫通され、脚部４ａの先端部４ａ１がホルダー本体５ａから突出する。
【００１５】
ホルダー５には、図３に示すように一つまたは複数の誘導突起４が設けられ、その数等によって大きさや形状が異なっている。ホルダー５は、樹脂基板２を成形するための成形型（図示省略）にセットされる。成形型は、樹脂基板２の形状に対応する樹脂基板用キャビティと、ホルダー５の形状に対応するホルダー用キャビティを有している。ホルダー用キャビティは、樹脂基板用キャビティから略垂直に凹設され、ホルダー５が誘導突起４とともにセットされる（セット工程）。誘導突起４は、成形型にセットされた状態において、脚部４ａの先端部４ａ１が樹脂基板用キャビティに突出する。
【００１６】
次に、成形型に樹脂材料を流し込む（インサート成形工程）。樹脂が冷えて硬化することで、成形型内には樹脂基板２が成形される。同時に、誘導突起４が樹脂基板２に埋め込まれる。同時に、内側ガイドレール２ｂが樹脂基板２に一体成形される。次に、成形型を脱型し、成形型から樹脂基板２とホルダー５等を同時に取出す（取出し工程）。
【００１７】
次に、図２，３に示すようにホルダー５を一対の分割体５ａ１，５ａ２に分割して、誘導突起４からホルダー５を取除く（取除き工程）。分割されたホルダー５は、嵌合部５ｅ，５ｆによって再度組付けできるために、再利用も可能である。図４に示すように誘導突起４は、先端部４ａ１が樹脂基板２に埋め込まれ、これによって樹脂基板２に固着される。また誘導突起４は、ホルダー本体５ａに傾斜した状態で保持されてインサート成形されるため、成形後の誘導突起４は、樹脂基板２に対して傾斜角度を有する。
【００１８】
図３，５に示すように樹脂基板２の両端部には、張出部２ａ１が形成されている。張出部２ａ１は、樹脂基板２の表面と面一であり、かつ裏面において窪んでいる。樹脂基板２は、開口部３ａの内周側において木質基板３に並設され、張出部２ａ１が木質基板３の表面に設置される。張出部２ａ１と木質基板３には、ビス６が取付けられる取付孔２ａ２，３ｃが形成され、ビス６によって樹脂基板２が木質基板３に取付けられる（組付け工程）。
【００１９】
以上のように、遊技盤１の製造方法は、ホルダー工程、セット工程、インサート成形工程、および取除き工程を有している。したがって図３に示すようにインサート成形工程によって、誘導突起４の一部が樹脂基板２に埋め込まれ、誘導突起４が樹脂基板２に取付けられ得る。そのため樹脂基板２に下穴を設ける工程や、誘導突起４を樹脂基板２に打ち込む工程等が不要になる。また誘導突起４は、樹脂基板２に埋め込まれるため、樹脂基板２に対して容易かつ確実に抜止され得る。そのため誘導突起４と樹脂基板２の間にローレット加工等の抜止構造を設ける必要がない。また成形時にホルダー５を使用するために、誘導突起４の所望の部分のみを樹脂基板２に埋め込み得る。またホルダー５を使用するために、誘導突起４は、頭部４ｂ等を有する複雑な形状であっても、容易に埋め込まれ得る。その結果、遊技盤１が容易に製造され得る。
【００２０】
また図４に示すようにホルダー工程において、ホルダー５のホルダー本体５ａに誘導突起４を所定の角度でセットする。そしてセット工程において、ホルダー本体５ａを成形型の樹脂基板用キャビティに対して略垂直にセットする。したがって誘導突起４は、樹脂基板２に所定の角度で設けられ得る。またホルダー本体５ａを樹脂基板用キャビティに対して略垂直にセットするため、誘導突起４の傾きに影響されることなく、垂直に脱型できる。これにより容易に誘導突起４を樹脂基板２に対して所定の角度にし、かつ容易に脱型できる。また誘導突起４の傾きに関係なく、樹脂基板２に他の部品を容易に一体成形することもできる。
【００２１】
また誘導突起４は、図４に示すように脚部４ａと頭部４ｂを有している。そしてホルダー工程において、頭部４ｂをホルダー５の端面５ｂに当接させ、かつ脚部４ａをホルダー５に貫通させる。したがって頭部４ｂをホルダー５の端面５ｂに当接させることで、誘導突起４をホルダー５に対して容易に高さ合わせできる。またホルダー５は、頭部４ｂが端面５ｂに当接され、脚部４ａが貫通されるために、頭部４ｂを覆う形態に比べて簡易な構造になる。
【００２２】
また図１に示すように遊技盤１は、遊技領域１ａにおいて樹脂基板２と木質基板３を有している。したがって遊技盤１は、遊技領域１ａが樹脂基板２のみから形成される場合に比べて安価に形成され得る。また遊技盤１は、遊技領域１ａが木質基板３のみから形成される場合に比べて電飾効果および演出効果が高くなる。
【００２３】
（実施の形態２）
実施の形態２を図６にしたがって説明する。実施の形態２は、ホルダー工程において図２に示すホルダー５に代えて、図６に示すホルダー７を利用する点において相違している。以下、相違点を中心に実施の形態２について説明する。
【００２４】
図６に示すようにホルダー７は、ホルダー本体７ａを有している。ホルダー本体７ａには、誘導突起４の脚部４ａが圧入またはインサート成形によって挿通される。圧入の場合、脚部４ａがホルダー本体７ａの貫通孔７ｃに挿入され、頭部４ｂがホルダー本体７ａの端面７ｂに当接される。これにより誘導突起４のホルダー７に対する高さが決定される。
【００２５】
ホルダー本体７ａの外周面には、一対の溝７ｄが形成されている。溝７ｄは、ホルダー本体７ａの外周面を誘導突起４の長手方向に貫通している。ホルダー７の原材料は、樹脂基板２の成形時に溶けない融点を有し、かつ破壊容易なゴム材料または樹脂材料から成形され得る。したがってホルダー７は、インサート成形工程において溶けず、かつ取除き工程において溝７ｄを利用して容易に割られ、それによって誘導突起４から容易に取除かれ得る。
【００２６】
（他の実施の形態）
本発明は、実施の形態１，２に限定されず、以下の形態等であっても良い。
（１）実施の形態１，２の遊技盤１は、遊技領域１ａにおいて樹脂基板２と木質基板３を有している。しかし遊技領域において樹脂基板のみを有する形態であっても良い。あるいは遊技盤の全領域において樹脂基板のみを有する形態であっても良い。
（２）実施の形態１，２の誘導突起４は、脚部４ａと頭部４ｂを有している。しかし誘導突起が頭部を有さない棒状の脚部のみを有する形態、あるいは誘導突起が板状、リブ状などであっても良い。なお板状、リブ状の誘導突起の場合は、角度調整が不要な場所に用いられることが好ましく、誘導突起が金属でなく樹脂から形成される形態であっても良い。
（３）実施の形態１，２のホルダー５，７は、誘導突起４の頭部４ｂを覆わない形態であるが、頭部４ｂを覆う形態であっても良い。
（４）実施の形態１，２の樹脂基板２には、内側ガイドレール２ｂが一体成形されている。しかし内側ガイドレール２ｂと同様に、通過チェッカーや入賞口などの部品が樹脂基板２に一体成形される形態であっても良い。
（５）実施の形態１，２の遊技盤１は、パチンコ遊技機に用いられている。しかしアレンジボール遊技機や雀球遊技機などの他の弾球遊技機に遊技盤１が用いられる形態であっても良い。
【図面の簡単な説明】
【００２７】
【図１】遊技盤の斜視図である。
【図２】誘導突起とホルダーの組付け前（Ａ）と組付け後（Ｂ）の斜視図である。
【図３】セット工程前（Ａ）、取出し工程後（Ｂ）、取除き工程後（Ｃ）における遊技盤の構成部材の斜視図である。
【図４】樹脂基板、ホルダーおよび誘導突起の断面図である。
【図５】組付け工程における遊技盤の構成部材の斜視図である。
【図６】実施の形態２に係る誘導突起とホルダーの分解斜視図（Ａ）と組付斜視図（Ｂ）である。
【符号の説明】
【００２８】
１…遊技盤
１ａ…遊技領域
２…樹脂基板
２ｂ…内側ガイドレール
３…木質基板
４…誘導突起
４ａ…脚部
４ｂ…頭部
５，７…ホルダー
５ａ，７ａ…ホルダー本体
５ａ１，５ａ２…分割体
５ｂ，７ｂ…端面
５ｃ，５ｄ…溝
【図１】
2010082313.tif 000003
【図２】
2010082313.tif 000004
【図３】
2010082313.tif 000005
【図４】
2010082313.tif 000006
【図５】
2010082313.tif 000007
【図６】
2010082313.tif 000008